(57)【要約】【課題】容器を上下方向にずらせて積み重ねることができ、従来にない陳列ができる包装用容器を提供する。【解決手段】包装用容器１は、容器本体２及び蓋体３を備え、容器本体２は、底面部２１と、底面部２１の縁部から下方に突出する複数の脚部２２と、隣接する脚部２２間に設けた載置面２３と、を備え、蓋体３は、天面部３１と、天面部３１の縁部から下方に向かう周壁面部３２と、を備え、載置面２３は天面部３１の平面視において外方に突き出してなる縁部付近に載せることができ、載置面２３を天面部３１に載せた状態で載置面２３近傍の２つの脚部２２の側面２２ａが周壁面部３２に当接する構成としたことを特徴とする。【選択図】図３
2019073309.tif 000002
【特許請求の範囲】
【請求項１】
容器本体及び蓋体を備えた包装用容器であって、
該容器本体は、底面部と、底面部の縁部から下方に突出する複数の脚部と、隣接する脚部間に設けた載置面と、を備え、
該蓋体は、天面部と、該天面部の縁部から下方に向かう周壁面部と、を備え、
該載置面は該天面部の一部に載せることができ、該載置面を該天面部に載せた状態で該載置面近傍の２つの脚部の側面が該周壁面部に当接する構成とした、包装用容器。
【請求項２】
前記包装用容器の平面中心に対して対称状の位置に前記載置面を設けた請求項１に記載の包装用容器。
【請求項３】
前記包装用容器を平面視多角形状とし、角部付近に前記載置面を設けた請求項１に記載の包装用容器。
【請求項４】
前記包装用容器を平面視四角形状とし、各角部付近に前記載置面を設けた請求項３に記載の包装用容器。
【請求項５】
前記載置面に、容器内外方向に伸びる凸状又は凹状のリブを設けた請求項１〜４のいずれかに記載の包装用容器。
【請求項６】
請求項１〜５のいずれかに記載の包装用容器を用いた陳列方法であって、
包装用容器の上側に他の包装用容器をずらせて載せる包装用容器の陳列方法。
【発明の詳細な説明】
【技術分野】
【０００１】
本発明は、主に食料品などを収容し、積み重ねて陳列可能な包装用容器に関する。
【背景技術】
【０００２】
デパート、スーパーマーケット、コンビニエンスストアなどの小売店における食料品売り場にて、弁当、サラダ、惣菜、フルーツなどの食料品は、透明な包装用容器に封入されて店頭に陳列されていることがよく見かけられる。
このような食料品は大量に販売され、また、店頭での販売スペースが限られるため、段積みされて陳列されていることが多い。
しかし、包装用容器を段積みして陳列した場合は不安定になり崩れてしまうおそれがある。
【０００３】
そこで、例えば、下記特許文献１には、収納部を有する本体部と、多角形平面状の天板部を有し、前記本体部を被覆できるとともに、他の本体部を載せ置くことができる蓋部と、該天板部面上の隅部付近に、少なくとも２つの膨出した隆起部からなる滑り止め部と、を備え、縦積みしても容器がずれにくいように改良された食品包装用容器が示されている。
【０００４】
また、下記特許文献２には、天板部と、当該天板部に連接される側壁部と、当該側壁部に連接されるフランジ部とを備えた、平面視にて多角形形状である包装用容器の蓋体において、前記天板部における周縁部分であって、前記多角形の隅部には、当該隅部を形成する各辺に沿うようにズレ防止用突起が設けられ、前記ズレ防止用突起は、突出高さにつき、前記隅部の先端側では低く、前記先端から前記辺に沿いつつ離れるに従って高くなった後、漸次低くなるよう形成されたことを特徴とし、容器本体に蓋体を取り付けて積み重ねした時に確実にズレ防止することができるようにした包装用容器の蓋体が示されている。
【先行技術文献】
【特許文献】
【０００５】
【特許文献１】特開２０１５−９８０９号公報
【特許文献２】特開２０１３−１４３７０号公報
【発明の概要】
【発明が解決しようとする課題】
【０００６】
上記特許文献１又は２に示された容器は、段積みした場合に不安定になりにくく崩れ落ちることを防ぐことができる。
しかし、このように容器を積み重ねて陳列した場合、消費者のほとんどは最上段にある容器の中身しか視認しないため、消費者に内容物の魅力を伝えにくく、消費者の購買意欲を増進させるように陳列させることが難しいものである。
【０００７】
そこで、本発明の目的は、従来にはない陳列、つまり、容器を上下方向にずらせて積み重ねることができ包装用容器を提供することにある。
【課題を解決するための手段】
【０００８】
本発明の一実施形態の包装用容器は、容器本体及び蓋体を備えた包装用容器であって、容器本体は、底面部と、底面部の縁部から下方に突出する複数の脚部と、隣接する脚部間に設けた載置面と、を備え、蓋体は、天面部と、該天面部の縁部から下方に向かう周壁面部と、を備え、載置面は天面部の一部に載せることができ、載置面を天面部に載せた状態で載置面近傍の２つの脚部の側面が周壁面部に当接する構成としたことを特徴とする。
【０００９】
このような構成にすることにより、包装用容器の載置面を他の包装用容器の天面部の縁部に載せ、ずらせて積み重ねて陳列することができ、上下両方の容器の中身が視認しやすくなり、消費者に内容物をアピールしやすくなる。また、載置面近傍の２つの脚部の側面が蓋体の周壁面部に当接するため、上下にずらせて積み重ねてもずれ動きにくく崩れにくいものである。
【００１０】
上記形態の包装用容器は、包装用容器の平面中心に対して対称状の位置に載置面を設けることができる。
このような構成にすることにより、上段側に配した包装用容器が対称状に設けた載置面により支持されることになるため、包装用容器を安定させて上段側に配することができる。
【００１１】
上記形態の包装用容器は、平面視多角形状とし、角部付近に載置面を設けることができる。
このような構成にすることにより、下段側に配した容器が上側の容器により隠されにくくなり、消費者に内容物をアピールしやすい陳列をすることができる。
【００１２】
上記形態の包装用容器は、平面視四角形状とし、各角部付近に載置面を設けることができる。
このような構成にすることにより、上段側に配した容器は四隅で支持されるため安定して載せることができ、また、例えば、包装用容器を市松模様状に配することができ、消費者に対してアピール力を増加させた陳列をすることができる。
【００１３】
上記形態の包装用容器は、載置面に容器内外方向に伸びる凸状又は凹状のリブを設けることができる。
このような構成にすることにより、載置面の強度が増して撓みにくくなり、包装用容器を他の包装用容器に安定して載せることができる。
【００１４】
上記形態の包装用容器を用いて、包装用容器の上側に他の包装用容器をずらせて載せて包装用容器を陳列することができ、従来のように単に段積みした陳列と比べて、最上段にある容器だけでなく下段にある容器の中身も視認しやすくなり、消費者に内容物の魅力を伝えやすくなる。また、包装用容器の上側に他の包装用容器をずらせて載せるという従来にない陳列をすることができるため、消費者の注意を惹き購買意欲を増進させるように陳列させることができる。
【００１５】
また、包装用容器を上下方向に積み重ねて陳列した場合、陳列商品が購入されていくと次第に空きが生じ、陳列状態の高さが揃わず不揃いになる。空いた箇所に新たな商品を補充することになるが、商品が品切れになると補充できず、陳列状態が乱れ、或いは、陳列スペースに対してバランスの悪い陳列になる。
上記形態の包装用容器では、上下方向にずらせて陳列できるため、商品数が少なくても整頓した状態で陳列できて購買意欲を促すことができ、商品の売れ残りを最小限に抑えることができる。
【図面の簡単な説明】
【００１６】
【図１】本発明の包装用容器の一実施形態を示した斜視図である。
【図２】図１に示した包装用容器の容器本体の脚部付近の拡大斜視図である。
【図３】図１に示した包装用容器を他の包装用容器に載せた状態を示した載置面付近の部分拡大平面図である。
【図４】図１に示した包装用容器の載置面の変形例を示した部分拡大平面図である。
【図５】図１に示した包装用容器の嵌合部付近を示した拡大断面図である。
【図６】図１に示した包装用容器を積み重ねた状態の一例を示し、（Ａ）は側面図、（Ｂ）は平面図である。
【図７】図１に示した包装用容器を積み重ねた状態の他の例を示し、（Ａ）は側面図、（Ｂ）は平面図である。
【図８】図１に示した包装用容器の変形例を積み重ねた状態の一例を模式的に示した図である。
【図９】図１に示した包装用容器の他の変形例を積み重ねた状態の一例を模式的に示した図である。
【発明を実施するための形態】
【００１７】
以下、本発明の包装用容器の一実施形態を図面に基づいて説明する。
【００１８】
本発明の一実施形態の包装用容器１は、図１に示すように、容器本体２と蓋体３とを備え、蓋体３は、容器本体２に上方から嵌合して被覆できるようにしてある。
なお、図２〜図７は、包装用容器１を説明するため一部構成を省略乃至簡略して示してある。
【００１９】
包装用容器１は、特に限定するものではないが、惣菜、サラダ、フルーツ、弁当、寿司等の食料品を包装するのに適する。
包装用容器１は、本実施形態では、平面視横長長方形状としてあるが、これに限定されるものではなく、例えば、平面視正方形乃至長方形状などの平面視四角形状、平面視円形乃至長円形状、平面視五角形状、平面視六角形状又は八角形状などの平面視多角形状などにすることもできる。
包装用容器１を平面視長方形状とした場合、例えば、容器本体２の幅、長さ、高さの比率を、幅１に対して長さ１．３〜３．５、高さ０．１〜０．８にするのが好ましく、蓋体３の幅、長さ、高さの比率を、幅１に対して長さ１．３〜３．５、高さ０．３〜１．５にするのが好ましい。
【００２０】
容器本体２、蓋体３は、例えば、シート厚０．１ｍｍ〜３ｍｍ、好ましくは０．２ｍｍ〜２ｍｍの合成樹脂シートを熱成形して製造することができる。なお、容器本体２と蓋体３とで、シート厚、材質が相違していてもよい。
【００２１】
合成樹脂シートとしては、特に限定するものではないが、発泡樹脂シート、非発泡樹脂シートのいずれでもよく、例えば、ポリエチレン系樹脂シートやポリプロピレン系樹脂シートなどのポリオレフィン系樹脂シート、ポリスチレン系樹脂シート、ポリエチレンテレフタレート系樹脂シートや耐熱性を付与した変性ポリエチレンテレフタレート系樹脂シートなどのポリエステル系樹脂シートなどの熱可塑性樹脂シートを挙げることができる。なかでも、電子レンジの加熱に耐え得るもの、例えば、耐熱性ポリスチレン系樹脂シート、ポリプロピレン系樹脂シート、耐熱性を付与した変性ポリエチレンテレフタレート系樹脂シートが好ましい。
また、合成樹脂シートとして積層シートを用いることもでき、積層シートとしては、例えば、合成樹脂シートにフィルムを熱ラミネートした積層シート、共押出法による積層シート、押出ラミネート法による積層シートなどを挙げることができる。
【００２２】
熱成形としては、例えば、真空成形、圧空成形、真空圧空成形、熱板成形などを挙げることができる。
【００２３】
容器本体２、蓋体３は、透明、半透明、黒色や白色などの有色のいずれでもよいが、内部が視認できるように、透明乃至半透明にすることが好ましい。容器本体２は有色、蓋体３は透明など相違していてもよい。
【００２４】
容器本体２は、図１又は図２に示すように、平面視長方形状の底面部２１と、底面部２１の各縁部の角部（隅部）付近に設けた計８つの脚部２２と、２つの脚部２２間から平面視において外方に突き出す載置面２３と、を備える。
【００２５】
底面部２１は、図１に示すように、平面視横長長方形状の略水平面として形成してあり、食料品などの収容物を載せることができるようにしてある。
本実施形態では、底面部２１を略水平面としてあるが、これに限定されるものではなく、例えば、傾斜面状、山形状などにしてもよい。また、面上に仕切りやリブなどの凹凸を設けてもよい。
底面部２１の周囲には、底面部２１よりも一段凹ませた角溝状の溝部２４が設けてあり、食料品などを収容した際に滲出した汁気などを貯めることができるようにしてある。
【００２６】
脚部２２は、図１又は図２に示すように、底面部２１の各縁部の角部（隅部）付近に設け、容器本体２を棚などに置いた際に支持できるようにしてある。脚部２２は、逆四角錐台状に下方に膨出するように形成してあり、底面部２２の縁部に沿う平面視長方形状としてある。本実施形態では長辺側に沿う脚部２２を短辺側に沿う脚部２２よりも横長にし、溝部２４をさらに凹ませて形成してある。
脚部２２は、本実施形態では逆四角錐台状に形成してあるが、これに限定されるものではなく、例えば、半球状や逆円錐台状に形成してもよい。
脚部２２及び溝部２４には、容器内外方向に伸びる凸部２５が複数並行状に形成してあり、容器本体２を補強するなどの役目を果たす。凸部２５は、凹部にしてもよい。
【００２７】
載置面２３は、底面部２１の各角部（隅部）付近に設け、本実施形態では隣接する２つの脚部２２間の底面部２１の一部を載置面２３とし、図３に示すように、蓋体３の天面部３１の四隅付近に載せることができるようにしてある。
載置面２３は蓋体３の天面部３１に安定して載せられるように水平面状に形成してあり、面上には容器内外方向に伸びる凸状又は凹状のリブ２６が設けてある。本実施形態では２本のリブ２６を放射状に設けてあるが、これに限定されるものではなく、図４（Ａ）に示すようにリブ２６を設けなくてもよく、図４（Ｂ）に示すようにリブ２６を１本としてもよい。しかし、載置面２３は、他の包装用容器１にずらせて載せた際に荷重が掛る箇所であるため、図４（Ｃ）に示すように３本のリブ２６或いはそれ以上設けて補強するのが好ましい。
【００２８】
溝部２４の外縁部には、図１に示すように、垂直乃至傾斜状に立ち上がる側壁面部２７が備えてあり、側壁面部２７の上部には、周方向に凹ませた被嵌合部２８が設けてあり蓋体３を嵌合できるようにしてある。
側壁面部２７の上端部には、外方に水平状に張り出すフランジ部２９を備え、フランジ部２９の外縁部は垂下乃至傾斜するスカート状に形成してある。
【００２９】
蓋体３は、図１に示すように、平面視長方形状の天面部３１と、天面部３１の周縁から下方に傾斜する側壁面部３２と、を備える。
天面部３１は、平面視横長長方形状の水平面状として形成してあり、一部部分に、本実施形態では各角部（隅部）付近に載置面２３を載せることができる。この天面部３１の一部部分は、平面視において突き出した部分として脚部２２間に入り込むようにし、天面部３１を平面視多角形状にした場合は角部（隅部）付近にするのが好ましい。
【００３０】
側壁面部３２は、天面部３１の周縁から下方に向かいやや拡がる傾斜面としてあり、図３に示すように、載置面２３を天面部３１に載せた際に脚部２２の側面２２ａが当接するようにしてある。側壁面部３２は垂直面にしてもよく、また、面上にリブなどの凹凸を設けてよい。
【００３１】
側壁面部３２の下端部周囲は、図５に示すように、凹溝状に形成してあり、その外側面３３はやや外側に膨らむ嵌合部３４としてあり、被嵌合部２８に嵌合して、蓋体３が容器本体２に内嵌合できるようにしてある。
本実施形態では、蓋体３を容器本体２に内嵌合するように形成してあるが、これに限定されるものではなく、例えば、外嵌合、内外嵌合するように形成してもよい。
【００３２】
外側面３３の上端部には、外方に水平状に張り出すフランジ部３５が備えてあり、蓋体３を容器本体２に嵌合した際、容器本体２のフランジ部２９に載るようにしてある。
【００３３】
包装用容器１は、容器本体２の底面部２１に収容物を載せ、蓋体３を嵌合して収容物を収容することができる。包装用容器１は、このまま陳列することもできるが、図６（Ａ）に示すように、ずらせながら複数段に積み重ねて陳列することもできる。この際、下段の包装用容器１は、図６（Ｂ）に示すように、適宜間隔をあけて四角状に配列し、その中心付近に他の包装用容器１を配して上段に載るようにする。この際、図３に示すように、上段の包装用容器１の四隅付近の各載置面２３が下段にあるそれぞれの包装用容器１の天面部２１の一隅部に載るようにする。つまり、天面部３１の各角部（隅部）付近の縁部が脚部２２間に入り込み、下段の各包装用容器１が上段の包装用容器１を支えるようになる。
上段にある包装用容器１は、脚部２２の側面２２ａの一部が、図３に示すように、下段にある包装用容器１の周壁面部２２に当接する状態になる。そのため、上段の包装用容器１は、ずれにくく、安定して上段に配することができる。
【００３４】
このようにして、包装用容器１は、図６（Ｂ）に示すように、平面視において市松模様状に配することができ、従来の単に上下方向に載せる場合と比べて、注目されやすく、需要を喚起する陳列をすることができる。また、いずれの包装用容器１の天面部２１も隠れないため、消費者に収容物をアピールすることができる。
【００３５】
包装用容器１は、図７（Ａ）、（Ｂ）に示すように、下段の包装用容器１を横向き、上段の包装用容器１を縦向きにした配列にすることもでき、従来にはない陳列をすることができる。
【００３６】
また、従来では、包装用容器を積み重ねる場合、バランスを取るために同形状、同サイズの容器を上下方向に積み重ねていたが、本発明の包装用容器では異形状、異サイズ、例えば、平面視長方形状及び平面視正方形状などを積み重ねて陳列することができ、消費者に対するアピール力が増す陳列をすることができる。
【００３７】
包装用容器１は、平面視長方形状としてあるが、図８（Ａ）に示すように、平面視五角形状の包装用容器１ａにしても上下にずらせて配列することができ、図８（Ｂ）に示すように平面視六角形状の包装用容器１ｂにしても上下にずらせて配列することができる。
包装用容器１は、平面中心に対して対称状の位置に載置面２３を設けることにより、上段に載せた包装用容器１が安定するため好ましく、特に、平面視多角形状とし、角部付近に載置面２３を設けるのが、容器内部の収容物を視認しやすくなるため好ましい。具体的には、包装用容器１を平面視四角形状とし、各角部付近に載置面２３を設けるのが好ましい。
【００３８】
また、平面視において角部（隅部）のない、平面視円形状や平面視長円状などの包装用容器１ｃにしてもよく、例えば、図９に示すように、周縁付近に脚部２２Ａを設けることにより、上下にずらせて配列することができる。
【００３９】
このように、包装用容器１は、上下方向にずらせて積み重ねることができ、従来にない陳列ができるため、消費者の注意を惹き購買意欲を増大させることができる。また、下段の天面部２１を隠さない配列にすることもでき、消費者に収容物をアピールすることができる。
【００４０】
上記実施形態の構成態様は、本発明を限定するものとして挙げたものではなく、技術目的を共通にするかぎり変更は可能であり、本発明はそのような変更を含むものである。
【符号の説明】
【００４１】
１，１ａ，１ｂ，１ｃ包装用容器
２容器本体
２１底面部
２２，２２Ａ脚部
２２ａ側面部
２３載置面
２４溝部
２５凸部
２６リブ
２７側壁面部
２８被嵌合部
２９フランジ部
３蓋体
３１天面部
３２側壁面部
３３外側面
３４嵌合部
３５フランジ部
【図１】
2019073309.tif 000003
【図２】
2019073309.tif 000004
【図３】
2019073309.tif 000005
【図４】
2019073309.tif 000006
【図５】
2019073309.tif 000007
【図６】
2019073309.tif 000008
【図７】
2019073309.tif 000009
【図８】
2019073309.tif 000010
【図９】
2019073309.tif 000011